(57)【要約】【課題】  実際に記録される動画、静止画の記録画像領域を把握して、正確な画像記録を可能とした装置および方法を提供する。【解決手段】  動画と静止画をそれぞれ記録可能な撮像装置において、ユーザが予め設定した動画像および静止画像各々の記録態様設定情報、すなわちアスペクト比に基づいて、動画対応ガイドフレームと、静止画対応ガイドフレーム各々の形状を決定し、実際の記録処理の状況に応じてガイドフレームをモニタ画面としての表示部に表示する。また、メディアが撮像装置に存在しない場合など、画像データが記録可能状態にない場合は、記録可能でないカテゴリ（動画または静止画）の画像に対応するガイドフレームを表示せず、記録可能なカテゴリの画像に対応するガイドフレームのみを表示する。【選択図】  図３
2006180152.tif 000002
【特許請求の範囲】
【請求項１】
被写体画像を撮像する撮像素子と、
前記撮像素子によって取得された画像データを出力する表示部と、
記録メディアに対する画像記録領域情報として前記表示部に表示するガイドフレームの表示制御を実行する制御部とを有し、
前記制御部は、
予め設定された動画像および静止画像各々の記録態様設定情報に基づいて、動画対応ガイドフレームと、静止画対応ガイドフレーム各々の形状を決定し、決定した形状に対応するガイドフレームを前記表示部に出力する制御を実行する構成であることを特徴とする撮像装置。
【請求項２】
前記制御部は、
動画像および静止画像の記録メディアに対する記録処理の可否に応じて、前記動画対応ガイドフレーム、および静止画対応ガイドフレーム各々の前記表示部に対する出力および出力停止制御を実行する構成であり、
動画像の記録メディアに対する記録処理が可能な状態において動画対応ガイドフレームを前記表示部に出力し、
静止画像の記録メディアに対する記録処理が可能な状態において静止画対応ガイドフレームを前記表示部に出力する制御を行なう構成であることを特徴とする請求項１に記載の撮像装置。
【請求項３】
前記撮像装置は、
動画記録の開始ボタンに対する接触検知を行なう接触センサを有し、
前記制御部は、
前記接触センサからの接触感知情報を入力し、該接触感知情報の入力に基づいて、前記表示部に対する静止画対応ガイドフレームの出力を停止する制御を実行する構成であることを特徴とする請求項１に記載の撮像装置。
【請求項４】
前記撮像装置は、
静止画記録の開始ボタンに対する接触検知を行なう接触センサを有し、
前記制御部は、
前記接触センサからの接触感知情報を入力し、該接触感知情報の入力に基づいて、動画記録が実行中であるか否かを判定し、動画記録が行なわれていない場合に前記表示部に対する動画対応ガイドフレームの出力を停止する制御を実行する構成であることを特徴とする請求項１に記載の撮像装置。
【請求項５】
前記予め設定された動画像および静止画像各々の記録態様設定情報は、各画像の記録画像各々に対して設定可能な複数の異なるアスペクト比であり、
前記制御部は、
予め設定された動画像および静止画像各々のアスペクト比に基づいて、動画対応ガイドフレームと、静止画対応ガイドフレーム各々の形状を設定アスペクト比に対応した形状として決定し、決定した形状に対応するガイドフレームを前記表示部に出力する制御を実行する構成であることを特徴とする請求項１乃至４いずれかに記載の撮像装置。
【請求項６】
撮像装置におけるモニタ画面としての表示部に記録領域情報として表示するガイドフレームの表示制御を行なうガイドフレーム表示制御方法であり、
予め設定された動画像および静止画像各々の記録態様設定情報に基づいて、動画対応ガイドフレームと、静止画対応ガイドフレーム各々の形状を決定するガイドフレーム形状決定ステップと、
前記ガイドフレーム形状決定ステップにおいて決定した形状に対応するガイドフレームを前記表示部に出力するガイドフレーム出力ステップと、
を有することを特徴とするガイドフレーム表示制御方法。
【請求項７】
前記ガイドフレーム表示制御方法は、さらに、
動画像および静止画像の記録メディアに対する記録処理の可否に応じて、前記動画対応ガイドフレーム、および静止画対応ガイドフレーム各々の前記表示部に対する出力および出力停止制御を実行する制御ステップを有し、
前記制御ステップは、
動画像の記録メディアに対する記録処理が可能な状態において動画対応ガイドフレームを前記表示部に出力し、
静止画像の記録メディアに対する記録処理が可能な状態において静止画対応ガイドフレームを前記表示部に出力する制御を行なうことを特徴とする請求項６に記載のガイドフレーム表示制御方法。
【請求項８】
前記ガイドフレーム表示制御方法は、さらに、
動画記録の開始ボタンに対する接触検知を行なう接触センサからの接触感知情報を入力するステップと、
前記接触感知情報の入力に基づいて、前記表示部に対する静止画対応ガイドフレームの出力を停止する制御を実行するステップと、
を有することを特徴とする請求項６に記載のガイドフレーム表示制御方法。
【請求項９】
前記ガイドフレーム表示制御方法は、さらに、
静止画記録の開始ボタンに対する接触検知を行なう接触センサからの接触感知情報を入力するステップと、
前記接触感知情報の入力に基づいて、動画記録が実行中であるか否かを判定するステップと、
動画記録が実行中でないと判定された場合に前記表示部に対する動画対応ガイドフレームの出力を停止する制御を実行するステップと、
を有することを特徴とする請求項６に記載のガイドフレーム表示制御方法。
【請求項１０】
前記予め設定された動画像および静止画像各々の記録態様設定情報は、各画像の記録画像各々に対して設定可能な複数の異なるアスペクト比であり、
前記ガイドフレーム形状決定ステップは、
予め設定された動画像および静止画像各々のアスペクト比に基づいて、動画対応ガイドフレームと、静止画対応ガイドフレーム各々の形状を設定アスペクト比に対応した形状として決定するステップであることを特徴とする請求項６乃至９いずれかに記載のガイドフレーム表示制御方法。
【請求項１１】
撮像装置におけるモニタ画面としての表示部に記録領域情報として表示するガイドフレームの表示制御をコンピュータ上において実行させるコンピュータ・プログラムであり、
予め設定された動画像および静止画像各々の記録態様設定情報に基づいて、動画対応ガイドフレームと、静止画対応ガイドフレーム各々の形状を決定するガイドフレーム形状決定ステップと、
前記ガイドフレーム形状決定ステップにおいて決定した形状に対応するガイドフレームを前記表示部に出力するガイドフレーム出力ステップと、
を有することを特徴とするコンピュータ・プログラム。
【発明の詳細な説明】
【技術分野】
【０００１】
本発明は、撮像装置、およびガイドフレーム表示制御方法、並びにコンピュータ・プログラムに関する。さらに詳細には、ビデオカメラに設定されたビューファインダ、あるいはディスプレイなどの撮影画像確認のための画像表示部に、実際に記録される画像の領域を示すガイドフレームを提示する構成を持つ撮像装置、およびガイドフレーム表示制御方法、並びにコンピュータ・プログラムに関する。
【背景技術】
【０００２】
近年、テレビ受像機において提示される画像として高画質画像（ＨＤ：Ｈｉｇｈ  Ｄｅｆｉｎｉｔｉｏｎ）、いわゆるハイビジョン画像やワイド画像が用いられるようになってきている。ワイド画像は、従来の標準画像（ＳＤ：Ｓｔａｎｄａｒｄ Ｄｉｆｉｎｉｔｉｏｎ）とは異なるアスペクト比（画像の縦の横の長さの比）を有する。
【０００３】
例えば標準画像はアスペクト比４：３であり、ワイド画像はアスペクト比１６：９である。近年のテレビ受像機は、ワイド画像に対応したアスペクト比、すなわち１６：９の表示画面を備えたものが多くなってきている。このようなテレビ受像機に対して配信されるコンテンツ、あるいはＤＶＤなどの記録媒体に格納されるコンテンツも１６：９のワイド画像に対応したコンテンツとなってきている。
【０００４】
このような傾向の下、一般ユーザが利用するビデオカメラにおいてもアスペクト比１６：９に対応する画像記録を可能とした製品が出てきている。現行のビデオカメラは、動画像の撮影に加え、撮影画像のスナップショットとしての静止画像を記録することが可能な構成を持つものが多い。画像データの記録媒体としては、ビデオテープ、ＤＶＤ、ハードディスク、あるいはフラッシュメモリなどがあり、これらの様々な記録媒体を利用して動画像と静止画像を異なる記録媒体に記録したり、あるいは同一の記録媒体に併せて記録するなどの構成を持つものがある。
【０００５】
動画像は、上述したようにアスペクト比１６：９のワイド画像記録が主流になりつつあるが、静止画像は４：３のアスペクト比での記録が一般的である。例えば銀塩写真、デジタルスチルカメラなどの分野においても４：３のアスペクト比が広く用いられている。
【０００６】
従来の多くのビデオカメラは、ビデオカメラに設定されたビューファインダ、あるいは液晶ディスプレイなどの撮影画像確認のための画像表示部を有し、画像表示部に表示した画像をそのまま動画と静止画に記録する形態となっている。
【０００７】
ビデオカメラに設定されるビューファインダ、あるいはディスプレイなどの画像表示部は、近年のワイド画像対応のディスプレイやコンテンツの普及に伴い、アスペクト比１６：９の設定としたものが多くなっている。しかし、このようなアスペクト比１６：９の画像表示部を持つビデオカメラでアスペクト比４：３の静止画を記録する場合、記録される静止画像は、画像表示部に表示された画像とは整合しない画像となってしまい、ユーザは実際に記録される静止画像の画像データ領域を正確に判断することができないという問題が発生する。
【０００８】
すなわち、アスペクト比１６：９の画像表示部を持つビデオカメラを適用してアスペクト比４：３の記録静止画の記録を行なおうとすると、アスペクト比１６：９の画像表示部の左右に、アスペクト比４：３の記録静止画には含まれない領域が存在することになり、ユーザは、画像表示部に表示される画像に基づいて静止画の記録領域を正確に判断することができないという問題が発生する。
【０００９】
逆にアスペクト比４：３の表示部を持つビデオカメラでアスペクト比１６：９の動画を記録する際には、実際の動画像の記録画像は、表示部の上下の領域を除去した画像となってしまい、この場合も、ユーザは動画の記録領域を正確に判断することができないという問題が発生する。
【００１０】
近年のビデオカメラでは、アスペクト比１６：９の動画記録と、アスペクト比４：３の静止画の記録を切換え可能としたものがある。しかし、従来のこれらのビデオカメラは、例えばアスペクト比１６：９の動画を記録する状態からからアスペクト比４：３の静止画を記録する状態に遷移するには電源スイッチやモード切換えスイッチなどで撮影モードを切換える必要がある。このモード切換え処理は、画像撮影を行なっているユーザにとっては煩雑な操作であり、モード切換え動作に時間がかかるために撮影機会を逃す危険性が高くなるという問題を発生させていた。
【００１１】
ビデオカメラと銀塩スチルカメラを組み合わせ動画撮影中の静止画同時記録を可能にしたスチルカメラ付きビデオカメラを開示した従来技術として、例えば特許文献１がある。この文献には、ビデオカメラの撮影画像確認のためのビューファインダに動画と静止画のそれぞれの画角の違いをガイドフレームで表示する構成を開示している。
【００１２】
しかし、この従来技術は、スチルカメラとして利用する場合の撮影領域を示す画角を、ビデオカメラとして利用する場合の撮影領域を示す画角の外側に常時設定した構成であり、アスペクト比を１６：９と４：３の切換えに対応する構成ではない。また、取得画像の切り替え処理に応じて、表示フレームの更新を行なう構成ではなく、常に同一のフレームが恒常的に表示され、ユーザの撮影画像の切換えに応じた記録画像領域を即座に判断できる構成とはなっていないという問題がある。
【特許文献１】特公平７−３１３５３号公報
【発明の開示】
【発明が解決しようとする課題】
【００１３】
本発明はこのような問題を解決すべく創案されたものであって、アスペクト比などの撮影画角の違う画像を撮影する撮像装置において、撮影画像確認のための表示部に撮影画像データを表示するとともに、表示画像中の実際の記録画像領域をガイドフレームによって提示し、記録する画像データが動画であるか、静止画であるか、あるいは動画および静止画双方の画像の並列記録を行なっているかの記録状態に応じて提示するガイドフレームを動的に切換えて表示する構成とし、撮影を行なうユーザに負担をかけることなく、正確にかつ容易に記録画像の記録領域を把握することを可能とした撮像装置、およびガイドフレーム表示制御方法、並びにコンピュータ・プログラムを提供することを目的とする。
【課題を解決するための手段】
【００１４】
本発明の第１の側面は、
被写体画像を撮像する撮像素子と、
前記撮像素子によって取得された画像データを出力する表示部と、
記録メディアに対する画像記録領域情報として前記表示部に表示するガイドフレームの表示制御を実行する制御部とを有し、
前記制御部は、
予め設定された動画像および静止画像各々の記録態様設定情報に基づいて、動画対応ガイドフレームと、静止画対応ガイドフレーム各々の形状を決定し、決定した形状に対応するガイドフレームを前記表示部に出力する制御を実行する構成であることを特徴とする撮像装置にある。
【００１５】
さらに、本発明の撮像装置の一実施態様において、前記制御部は、動画像および静止画像の記録メディアに対する記録処理の可否に応じて、前記動画対応ガイドフレーム、および静止画対応ガイドフレーム各々の前記表示部に対する出力および出力停止制御を実行する構成であり、動画像の記録メディアに対する記録処理が可能な状態において動画対応ガイドフレームを前記表示部に出力し、静止画像の記録メディアに対する記録処理が可能な状態において静止画対応ガイドフレームを前記表示部に出力する制御を行なう構成であることを特徴とする。
【００１６】
さらに、本発明の撮像装置の一実施態様において、前記撮像装置は、動画記録の開始ボタンに対する接触検知を行なう接触センサを有し、前記制御部は、前記接触センサからの接触感知情報を入力し、該接触感知情報の入力に基づいて、前記表示部に対する静止画対応ガイドフレームの出力を停止する制御を実行する構成であることを特徴とする。
【００１７】
さらに、本発明の撮像装置の一実施態様において、前記撮像装置は、静止画記録の開始ボタンに対する接触検知を行なう接触センサを有し、前記制御部は、前記接触センサからの接触感知情報を入力し、該接触感知情報の入力に基づいて、動画記録が実行中であるか否かを判定し、動画記録が行なわれていない場合に前記表示部に対する動画対応ガイドフレームの出力を停止する制御を実行する構成であることを特徴とする。
【００１８】
さらに、本発明の撮像装置の一実施態様において、前記予め設定された動画像および静止画像各々の記録態様設定情報は、各画像の記録画像各々に対して設定可能な複数の異なるアスペクト比であり、前記制御部は、予め設定された動画像および静止画像各々のアスペクト比に基づいて、動画対応ガイドフレームと、静止画対応ガイドフレーム各々の形状を設定アスペクト比に対応した形状として決定し、決定した形状に対応するガイドフレームを前記表示部に出力する制御を実行する構成であることを特徴とする。
【００１９】
さらに、本発明の第２の側面は、
撮像装置におけるモニタ画面としての表示部に記録領域情報として表示するガイドフレームの表示制御を行なうガイドフレーム表示制御方法であり、
予め設定された動画像および静止画像各々の記録態様設定情報に基づいて、動画対応ガイドフレームと、静止画対応ガイドフレーム各々の形状を決定するガイドフレーム形状決定ステップと、
前記ガイドフレーム形状決定ステップにおいて決定した形状に対応するガイドフレームを前記表示部に出力するガイドフレーム出力ステップと、
を有することを特徴とするガイドフレーム表示制御方法にある。
【００２０】
さらに、本発明のガイドフレーム表示制御方法の一実施態様において、前記ガイドフレーム表示制御方法は、さらに、動画像および静止画像の記録メディアに対する記録処理の可否に応じて、前記動画対応ガイドフレーム、および静止画対応ガイドフレーム各々の前記表示部に対する出力および出力停止制御を実行する制御ステップを有し、前記制御ステップは、動画像の記録メディアに対する記録処理が可能な状態において動画対応ガイドフレームを前記表示部に出力し、静止画像の記録メディアに対する記録処理が可能な状態において静止画対応ガイドフレームを前記表示部に出力する制御を行なうことを特徴とする。
【００２１】
さらに、本発明のガイドフレーム表示制御方法の一実施態様において、前記ガイドフレーム表示制御方法は、さらに、動画記録の開始ボタンに対する接触検知を行なう接触センサからの接触感知情報を入力するステップと、前記接触感知情報の入力に基づいて、前記表示部に対する静止画対応ガイドフレームの出力を停止する制御を実行するステップと、を有することを特徴とする。
【００２２】
さらに、本発明のガイドフレーム表示制御方法の一実施態様において、前記ガイドフレーム表示制御方法は、さらに、静止画記録の開始ボタンに対する接触検知を行なう接触センサからの接触感知情報を入力するステップと、前記接触感知情報の入力に基づいて、動画記録が実行中であるか否かを判定するステップと、動画記録が実行中でないと判定された場合に前記表示部に対する動画対応ガイドフレームの出力を停止する制御を実行するステップとを有することを特徴とする。
【００２３】
さらに、本発明のガイドフレーム表示制御方法の一実施態様において、前記予め設定された動画像および静止画像各々の記録態様設定情報は、各画像の記録画像各々に対して設定可能な複数の異なるアスペクト比であり、前記ガイドフレーム形状決定ステップは、予め設定された動画像および静止画像各々のアスペクト比に基づいて、動画対応ガイドフレームと、静止画対応ガイドフレーム各々の形状を設定アスペクト比に対応した形状として決定するステップであることを特徴とする。
【００２４】
さらに、本発明の第３の側面は、
撮像装置におけるモニタ画面としての表示部に記録領域情報として表示するガイドフレームの表示制御をコンピュータ上において実行させるコンピュータ・プログラムであり、
予め設定された動画像および静止画像各々の記録態様設定情報に基づいて、動画対応ガイドフレームと、静止画対応ガイドフレーム各々の形状を決定するガイドフレーム形状決定ステップと、
前記ガイドフレーム形状決定ステップにおいて決定した形状に対応するガイドフレームを前記表示部に出力するガイドフレーム出力ステップと、
を有することを特徴とするコンピュータ・プログラムにある。
【００２５】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２６】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２７】
本発明の構成によれば、動画と静止画をそれぞれ記録可能な撮像装置において、ユーザが予め設定した動画像および静止画像各々の記録態様設定情報、すなわちアスペクト比に基づいて、動画対応ガイドフレームと、静止画対応ガイドフレーム各々の形状を決定して、モニタ画面としての表示部に表示する構成とし、また、実際の記録処理の状況に応じて表示するガイドフレームを変更する構成としたので、ユーザは、表示部に表示されるガイドフレームに基づいて画角、すなわち記録される画像領域を確認しながら正確な記録処理を行なうことができる。
【００２８】
さらに、本発明の構成によれば、メディアが撮像装置に存在しない場合など、画像データが記録可能状態にない場合は、記録可能でないカテゴリ（動画または静止画）の画像に対応するガイドフレームを表示せず、記録可能なカテゴリの画像に対応するガイドフレームのみを撮影画像とともに表示する構成としたので、ユーザは、表示部に表示されるガイドフレームに基づいて、記録メディアに記録される動画像領域または静止画像領域およびその記録可否情報を知ることが可能となり、ユーザは容易にかつ正確に実際に記録される動画像または静止画像の記録画像領域を把握して、正確な動画像または静止画記録を行なうことができる。
【発明を実施するための最良の形態】
【００２９】
以下、図面を参照しながら、本発明の撮像装置、およびガイドフレーム表示制御方法、並びにコンピュータ・プログラムの詳細について説明する。
【００３０】
まず、撮像装置の構成例について図１を参照して説明する。図１は、撮像装置１００の一例としてデジタルビデオカメラを示している。図１に示す撮像装置１００は、撮影画像を撮り込むレンズ１０１、撮影画像を表示するモニタ画面としてのビューファインダ１０２および液晶ディスプレイ１０３、動画像の撮影時などのスナップショットの記録タイミングにおいて押下することで静止画を記録する静止画撮影ボタン１０４、動画像の撮影開始および終了を指示するための動画撮影開始／終了ボタン１０５、および電源スイッチ１０６を有する。
【００３１】
ユーザが、電源スイッチ１０６を操作すると、レンズ部１０１から入る映像がモニタ画面としてのビューファインダ１０２または液晶ディスプレイ１０３のいずれか、あるいは双方の画像表示部に表示される。
【００３２】
これら画像表示部としてのビューファインダ１０２および液晶ディスプレイ１０３には、レンズ部１０１から入る映像が表示されるとともに、撮像装置１００を適用した画像撮影を行なっているユーザの選択した撮影画像の記録アスペクト比に対応する記録領域ガイドフレームが所定条件の下に表示される。
【００３３】
記録領域ガイドフレームは、記録される画像の種類に応じたアスペクト比に対応するフレームが表示される。また、動画あるいは静止画の記録対象画像を記録可能な記録メディアの有無など、ユーザが記録しようとする画像を記録するメディアが記録可能な状態にあるか否かの検出情報に応じて、ガイドフレームの表示制御が実行される。具体的な制御処理については後述する。
【００３４】
図２を参照して、液晶ディスプレイ１０３に表示されるガイドフレームのパターンについて説明する。これらの画像表示部に表示されるガイドフレームは、ユーザの設定した撮影モードに対応して変更される。
【００３５】
図２（１）は、４種類の撮影パターンに対応したガイドフレーム表示例を示している。
パターン（ａ）は、
動画のアスペクト比：１６：９
静止画のアスペクト比：１６：９
パターン（ｂ）は、
動画のアスペクト比：１６：９
静止画のアスペクト比：４：３
パターン（ｃ）は、
動画のアスペクト比：４：３
静止画のアスペクト比：１６：９
パターン（ｄ）は、
動画のアスペクト比：４：３
静止画のアスペクト比：４：３
の動画および静止画の撮影モードの設定にある場合に、画像表示部としてのビューファインダ１０２および液晶ディスプレイ１０３に、撮影画像データとともに、表示されるガイドフレームパターンを示している。
【００３６】
図２（２）に示すように、撮影画像表示領域２０１に、動画対応ガイドフレーム２０２と、静止画対応ガイドフレーム２０３が表示可能である。なお、これらのガイドフレームは、それぞれの画像データの記録可能な状態にあることを条件として表示される。従って、例えば動画像を記録可能なメディア、例えばＤＶＤを動画像記録媒体として適用している場合に、記録可能なＤＶＤが撮像装置に装着されていない場合には、動画対応ガイドフレーム２０２は画像表示部には表示されず、記録可能なＤＶＤが撮像装置に装着されている場合に動画対応ガイドフレーム２０２が表示される。同様に、例えばフラッシュメモリを静止画像記録媒体として適用している場合に、記録可能なフラッシュメモリが撮像装置に装着されていない場合には、静止画対応ガイドフレーム２０３は画像表示部には表示されず、記録可能なフラッシュメモリが撮像装置に装着されている場合に静止対応ガイドフレーム２０３が表示される。これらの制御の詳細については後述する。
【００３７】
図２（１）に示すテーブル中、パターン（ａ）は、動画のアスペクト比：１６：９、静止画のアスペクト比：１６：９の撮影モードに対応しており、撮影画像表示領域２０１中にアスペクト比１６：９に対応する動画対応１６：９ガイドフレーム２０２ａと、アスペクト比１６：９に対応する静止画対応１６：９ガイドフレーム２０３ａが表示されたパターンを示している。これらのガイドフレームに規定された領域内の画像が記録メディアに記録される記録動画像領域、および記録静止画像領域を示しており、ユーザは、各ガイドフレームによって、実際の記録データの領域を知ることが可能となる。
【００３８】
パターン（ｂ）は、動画のアスペクト比：１６：９、静止画のアスペクト比：４：３の撮影モードに対応しており、撮影画像表示領域２０１中にアスペクト比１６：９に対応する動画対応１６：９ガイドフレーム２０２ａと、アスペクト比４：３に対応する静止画対応４：３ガイドフレーム２０３ｂが表示されたパターンを示している。パターン（ｃ）は、動画のアスペクト比：４：３、静止画のアスペクト比：１６：９の撮影モードに対応しており、撮影画像表示領域２０１中にアスペクト比４：３に対応する動画対応４：３ガイドフレーム２０２ｂと、アスペクト比１６：９に対応する静止画対応１６：９ガイドフレーム２０３ａが表示されたパターンを示している。パターン（ｄ）は、動画のアスペクト比：４：３、静止画のアスペクト比：４：３の撮影モードに対応しており、撮影画像表示領域２０１中にアスペクト比４：３に対応する動画対応４：３ガイドフレーム２０２ｂと、アスペクト比４：３に対応する静止画対応４：３ガイドフレーム２０３ｂが表示されたパターンを示している。
【００３９】
撮影モードが変更されれば、表示部に表示されるガイドフレームは変更され、ユーザは、表示部に表示されるガイドフレームに基づいて、記録メディアに記録される記録動画像領域および記録静止画像領域を知ることが可能となる。
【００４０】
次に、図３のブロック図および図４以下のフローチャートを参照して、本発明に係る撮像装置を構成するデジタルビデオカメラの詳細構成および撮像装置において実行される処理について説明する。図３において、白抜き矢印は映像信号の流れを示しており、実線の矢印は制御信号の流れを示している。なお、撮像装置においては、音声データの入力、記録が行なわれるが、音声データの処理については本発明の範囲外であるので、図３では音声信号の流れについては図示を省略している。
【００４１】
まず、図３のブロック図、および図４のフローチャートを参照してガイドフレームの表示処理シーケンスについて説明する。図３のブロック図において、表示装置３１６が、図１に示す撮像装置１００のビューファインダ１０２、または液晶ディスプレイ１０３に相当し、この表示装置３１６に撮影画像およびガイドフレームの表示がなされる。
【００４２】
ユーザが、操作部３０６を操作し、撮像装置の電源スイッチを入れると、中央処理マイコン３０６が、その指示を検出し、電源を立ち上げる。この処理は、図４のフローに示すステップＳ１０１においてＹｅｓと判定され、ステップＳ１０２において本体電源をＯＮとした処理に相当する。なお、中央処理マイコン３０５は、撮像装置としてのビデオカメラ全体を制御する制御部である。
【００４３】
レンズ３０１から撮り込まれた被写体像は例えばＣＣＤ等からなる撮像素子３０２に結像し、撮像素子３０２から出力された映像データはＡ／Ｄ変換器３０３によってデジタル信号に変換された後、画像処理ＤＳＰ３０４に入力され保存される。この処理は、ステップＳ３０３の処理である。なお、ＤＳＰは、デジタルシグナルプロセッサの略称である。
【００４４】
画像処理ＤＳＰ３０４に入力された画像データは、画像データの記録処理に伴う各種のデジタル処理、例えば画像補正処理、データ変換処理などを施し、処理結果の画像データを内部メモリ３１２に転送する。この処理は、図４のフローに示すステップＳ１０３の処理に相当する。
【００４５】
なお、画像撮影時に、ユーザは、操作部３０６の操作により、動画と静止画の記録アスペクト比を設定処理を行う。この設定情報は、中央処理マイコン３０５によって取得される。この処理が、図４のフローに示すステップＳ１０４の処理に相当する。
【００４６】
中央処理マイコン３０５は、
ユーザの設定情報が、
（ａ）動画のアスペクト比：１６：９，静止画のアスペクト比：１６：９
（ｂ）動画のアスペクト比：１６：９，静止画のアスペクト比：４：３
（ｃ）動画のアスペクト比：４：３，静止画のアスペクト比：１６：９
（ｄ）動画のアスペクト比：４：３，静止画のアスペクト比：４：３
のいずれの組み合わせの設定情報を取得する。この設定情報に基づいて、先に図２を参照して説明した（ａ）〜（ｄ）のいずれかのパターンのガイドフレームを内部メモリ３１２に描画する処理を行なうことになる。
【００４７】
次に、中央処理マイコン３０５は、ステップＳ１０５において、撮像装置に静止画像を記録可能なメディアが装着されているか否かを検証する。静止画像を記録可能なメディアが装着されている場合は、ステップＳ１０６に進み、さらに、撮像装置に動画像を記録可能なメディアが装着されているか否かを検証する。
【００４８】
静止画像を記録可能なメディアが装着され、かつ動画像を記録可能なメディアが装着されている場合は、ステップＳ１０８に進み、上述の動画像および静止画像のそれぞれのアスペクト比設定情報に基づいて、先に図２を参照して説明した（ａ）〜（ｄ）のいずれかのパターンのガイドフレームを内部メモリ３１２に描画する処理を行なう。
【００４９】
次に、ステップＳ１１１において、中央処理マイコン３０５は、内部メモリ３１２に格納されたデータ、すなわち画像処理ＤＳＰ３０４を介して転送された映像データと中央処理マイコン３０５によって描画された記録領域ガイドフレームを表示装置３１６に出力するように画像処理ＤＳＰ３０４に指示する。画像処理ＤＳＰ３０４は、内部メモリ３１２内の映像データと記録領域ガイドフレームを重畳してＤ／Ａ変換器３１５に出力し、Ｄ／Ａ変換器３１５において、入力デジタル信号をアナログ信号に変換した後、表示装置３１６に出力する。
【００５０】
表示装置３１６は、図１に示す撮像装置１００のビューファインダ１０２、または液晶ディスプレイ１０３であり、この表示装置に、先に図２を参照して説明したいずれかのパターンを持つガイドフレームとともに撮影画像データが表示される。
【００５１】
また、ステップＳ１０５において、撮像装置に静止画像を記録可能なメディアが装着されていると判定され、ステップＳ１０６において、撮像装置に動画像を記録可能なメディアが装着されていないと判定された場合は、ステップＳ１０９に進み、静止画像のアスペクト比設定情報に基づいて、静止画対応のガイドフレームのみを内部メモリ３１２に描画する処理を行なう。この場合の静止画像対応のガイドフレームは、ユーザ設定に応じて１６：９または４：３いずれかのガイドフレームとなる。この場合、動画像のガイドフレームは描画されない。
【００５２】
次に、ステップＳ１１１において、中央処理マイコン３０５は、内部メモリ３１２に格納されたデータ、すなわち画像処理ＤＳＰ３０４を介して転送された映像データと中央処理マイコン３０５によって描画された静止画対応の記録領域ガイドフレームを表示装置３１６に出力するように画像処理ＤＳＰ３０４に指示する。画像処理ＤＳＰ３０４は、内部メモリ３１２内の映像データと記録領域ガイドフレームを重畳してＤ／Ａ変換器３１５に出力し、Ｄ／Ａ変換器３１５において、入力デジタル信号をアナログ信号に変換した後、表示装置３１６に出力する。
【００５３】
表示装置３１６には、ユーザ設定に応じた１６：９または４：３いずれかの静止画対応のガイドフレームのみが、映像情報に併せて表示される。この場合、動画像のガイドフレームは表示されない。
【００５４】
また、ステップＳ１０５において、撮像装置に静止画像を記録可能なメディアが装着されていないと判定されると、ステップＳ１０７に進み、撮像装置に動画像を記録可能なメディアが装着されているか否かが判定される。撮像装置に動画像を記録可能なメディアが装着されていると判定されると、ステップＳ１１０に進み、動画像のアスペクト比設定情報に基づいて、動画像対応のガイドフレームのみを内部メモリ３１２に描画する処理を行なう。この場合の動画像対応のガイドフレームは、ユーザ設定に応じて１６：９または４：３いずれかのガイドフレームとなる。この場合、静止画像のガイドフレームは描画されない。
【００５５】
次に、ステップＳ１１１において、中央処理マイコン３０５は、内部メモリ３１２に格納されたデータ、すなわち画像処理ＤＳＰ３０４を介して転送された映像データと中央処理マイコン３０５によって描画された動画対応の記録領域ガイドフレームを表示装置３１６に出力するように画像処理ＤＳＰ３０４に指示する。画像処理ＤＳＰ３０４は、内部メモリ３１２内の映像データと記録領域ガイドフレームを重畳してＤ／Ａ変換器３１５に出力し、Ｄ／Ａ変換器３１５において、入力デジタル信号をアナログ信号に変換した後、表示装置３１６に出力する。
【００５６】
表示装置３１６には、ユーザ設定に応じた１６：９または４：３いずれかの動画対応のガイドフレームのみが、映像情報に併せて表示される。この場合、静止画像のガイドフレームは表示されない。
【００５７】
また、ステップＳ１０５において、撮像装置に静止画像を記録可能なメディアが装着されていないと判定され、さらに、ステップＳ１０７において、撮像装置に動画像を記録可能なメディアが装着されていないと判定された場合は、ガイドフレームの描画処理を行なうことなく、ステップＳ１１２に進む。ステップＳ１１２において、中央処理マイコン３０５は、内部メモリ３１２に格納されたデータ、すなわち、画像処理ＤＳＰ３０４を介して転送された映像データのみを表示装置３１６に出力するように画像処理ＤＳＰ３０４に指示する。画像処理ＤＳＰ３０４は、内部メモリ３１２内の映像データをＤ／Ａ変換器３１５に出力し、Ｄ／Ａ変換器３１５において、入力デジタル信号をアナログ信号に変換した後、表示装置３１６に出力する。
【００５８】
表示装置３１６には、ガイドフレームを含まない映像情報のみが表示される。すなわち、この場合、動画像および静止画像のいずれのガイドフレームも表示されない。
【００５９】
上述したように、動画、静止画を記録可能なメディアが撮像装置に存在しない場合など、画像データを記録可能な状態にない場合は、記録可能な状態にないカテゴリ（動画または静止画）の画像に対応するガイドフレームは内部メモリ３１２に描画されないので、表示装置３１６にも表示されない。すなわち、表示装置３１６には、有効に記録可能な画像カテゴリに対応するガイドフレームのみが撮影画像とともに表示される。ユーザは、表示部に表示されるガイドフレームに基づいて、記録メディアに記録される動画像領域または静止画像領域およびその記録可否情報を知ることが可能となる。
【００６０】
次に、図３のブロック図、および図５に示すフローチャートを参照して、ユーザが動画を記録する際に撮像装置において実行される処理の詳細について説明する。図５に示す処理フローは、図４に示す処理フローが実行された後に実行される処理であり、動画像を記録する記録メディアが装着され、動画像の記録可能な状態にある場合の処理である。図５の処理フローの開始時点で、図３に示す表示装置には、撮影画像データと、少なくとも動画像対応のガイドフレームが表示されている。静止画が記録可能な状態であれば、静止画対応のガイドフレームも表示された状態にある。
【００６１】
ユーザが動画の記録を開始しようとする場合、ユーザは、操作部３０６に設定された動画記録の開始および終了を指示する動画撮影開始／終了ボタンに指を接触させる。この処理によって、動画撮影開始／終了ボタンに設定された動画撮影開始／終了ボタン接触センサ３１８が、ユーザの指の接触を感知する。動画撮影開始／終了ボタン接触センサ３１８による接触感知情報は、中央処理マイコン３０５に伝送される。この処理は、図５に示す処理フローにおいてステップＳ２０１でＹｅｓと判定され、ステップＳ２０２に進む処理である。なお、動画撮影開始／終了ボタン接触センサ３１８は動画撮影開始／終了ボタンの表面に設定され、動画撮影開始／終了ボタンの押下以前に、ユーザの指の接触を検知して検知信号を中央処理マイコン３０５に出力する。
【００６２】
次に、中央処理マイコン３０５は、ステップＳ２０２において、内部メモリ３１２に対する静止画対応ガイドフレームの描画処理が実行中か否かを判定する。内部メモリ３１２に対する静止画対応ガイドフレームの描画処理が行なわれている場合は、ステップＳ２０３において、静止画対応ガイドフレームの描画処理を停止し、内部メモリ３１２の静止画対応ガイドフレームを消去する処理を実行する。なお、この時点で、動画像対応のガイドフレームの描画、表示処理は継続的に実行されている。動画像対応のガイドフレームは、ユーザの設定情報に基づくアスペクト比に対応したガイドフレームであり、１６：９、または４：３のアスペクト比対応のガイドフレームである。
【００６３】
すなわち、動画像のアスペクト比設定情報に基づいて、動画像対応のガイドフレームのみを内部メモリ３１２に描画する処理を継続することで、中央処理マイコン３０５は、内部メモリ３１２に格納されたデータ、すなわち画像処理ＤＳＰ３０４を介して転送された映像データと中央処理マイコン３０５によって描画された動画対応の記録領域ガイドフレームを表示装置３１６に出力するように画像処理ＤＳＰ３０４に指示する。画像処理ＤＳＰ３０４は、内部メモリ３１２内の映像データと記録領域ガイドフレームを重畳してＤ／Ａ変換器３１５に出力し、Ｄ／Ａ変換器３１５において、入力デジタル信号をアナログ信号に変換した後、表示装置３１６に出力する。
【００６４】
次に、ステップＳ２０４において、操作部３０６に設定された動画撮影開始／終了ボタンの押下信号が中央処理マイコン３０５に入力されると、中央処理マイコン３０５は、ステップＳ２０５において、事前にユーザによって設定された動画像のアスペクト比が１６：９であるか否かを判定する。
【００６５】
動画像の設定アスペクト比が１６：９である場合は、ステップＳ２０６に進み、撮影画像から、アスペクト比１６：９の動画対応ガイドフレーム内の画像を切り出して取得し、ステップＳ２０８において、切り出し画像を動画像記録メディアに記録する処理を実行する。
【００６６】
動画像の設定アスペクト比が１６：９でない場合は、ステップＳ２０７に進み、撮影画像から、アスペクト比４：３の動画対応ガイドフレーム内の画像を切り出して取得し、ステップＳ２０８において、切り出し画像を動画像記録メディアに記録する処理を実行する。
【００６７】
ステップＳ２０４以下の処理について、図３を参照して説明する。動画撮影開始／終了ボタンの押下信号が中央処理マイコン３０５に入力されると、中央処理マイコン３０５は、画像処理ＤＳＰ３０４および動画記録再生制御マイコン３０７に動画記録の指示がなされたことを示す制御信号を供給する。この制御信号により、画像処理ＤＳＰ３０４は、表示装置３１６に表示されている全視野の画像データの中から設定されたアスペクト比、すなわちアスペクト比１６：９もしくはアスペクト比４：３、いずれかの動画記録領域ガイドフレーム領域内の映像データを、画像処理ＤＳＰ３０４から動画処理ＤＳＰ３０８に入力する。
【００６８】
動画処理ＤＳＰ３０８は画像処理ＤＳＰ３０４から入力された画像データに対して、ＭＰＥＧ圧縮など、所定のフォーマットに従った圧縮処理を施し、さらにインデックス情報、データ識別情報、処理態様情報などの付加情報を加えて特定のフォーマット信号に変換し、動画像記録メディア対応Ｉ／Ｆ部３１７を介して、動画像記録メディア３０９に動画像データを記録する。
【００６９】
このように、動画像の記録処理時には、ビューファインダや液晶ディスプレイ等の表示装置３１６には、動画対応ガイドフレームのみが、ユーザの設定したアスペクト比に対応して表示され、ユーザは容易にかつ正確に実際に記録される動画像の画像領域を把握して、正確な動画像記録を行なうことができる。
【００７０】
次に、図３のブロック図、および図６に示すフローチャートを参照して、ユーザが静止画を記録する際に撮像装置において実行される処理の詳細について説明する。図６に示す処理フローも、図５と同様、図４に示す処理フローが実行された後に実行される処理であり、静止画像を記録する記録メディアが装着され、静止画像の記録可能な状態にある場合の処理である。図６の処理フローの開始時点で、図３に示す表示装置には、撮影画像データと、少なくとも静止画像対応のガイドフレームが表示されている。動画が記録可能な状態であれば、動画対応のガイドフレームも表示された状態にある。
【００７１】
ユーザが静止画の記録を開始しようとする場合、ユーザは、操作部３０６に設定された静止画記録の開始を指示する静止画撮影ボタンに指を接触させる。この処理によって、静止画撮影ボタンに設定された静止画撮影ボタン接触センサ３１９が、ユーザの指の接触を感知する。静止画撮影ボタン接触センサ３１９による接触感知情報は、中央処理マイコン３０５に伝送される。この処理は、図６に示す処理フローにおいてステップＳ３０１でＹｅｓと判定され、ステップＳ３０２に進む処理である。なお、静止画撮影ボタン接触センサ３１９は静止画撮影ボタンの表面に設定され、静止画撮影ボタンの押下以前に、ユーザの指の接触を検知して検知信号を中央処理マイコン３０５に出力する。
【００７２】
次に、中央処理マイコン３０５は、ステップＳ３０２において、動画の記録処理が実行中であるか否かを判定する。動画の記録処理が実行中でない場合は、ステップＳ３０３に進み、内部メモリ３１２に対する動画対応ガイドフレームの描画処理が実行中か否かを判定する。内部メモリ３１２に対する動画対応ガイドフレームの描画処理が行なわれている場合は、ステップＳ３０４において、動画対応ガイドフレームの描画処理を停止し、内部メモリ３１２の動画対応ガイドフレームを消去する処理を実行する。なお、この時点で、静止画対応のガイドフレームの描画、表示処理は継続的に実行されている。静止画対応のガイドフレームは、ユーザの設定情報に基づくアスペクト比に対応したガイドフレームであり、１６：９、または４：３のアスペクト比対応のガイドフレームである。
【００７３】
すなわち、動画記録が行なわれていない場合は、静止画像のアスペクト比設定情報に基づいて、静止画像対応のガイドフレームのみを内部メモリ３１２に描画する処理を継続する。中央処理マイコン３０５は、内部メモリ３１２に格納されたデータ、すなわち画像処理ＤＳＰ３０４を介して転送された映像データと中央処理マイコン３０５によって描画された静止画対応の記録領域ガイドフレームのみを表示装置３１６に出力するように画像処理ＤＳＰ３０４に指示する。画像処理ＤＳＰ３０４は、内部メモリ３１２内の映像データと静止画対応の記録領域ガイドフレームを重畳してＤ／Ａ変換器３１５に出力し、Ｄ／Ａ変換器３１５において、入力デジタル信号をアナログ信号に変換した後、表示装置３１６に出力する。
【００７４】
なお、ステップＳ３０２の判定において、動画の記録処理が実行中であると判定した場合は、ステップＳ３０３，Ｓ３０４の処理、すなわち、動画像対応のガイドフレームの消去処理は実行されず、動画対応ガイドフレームと静止画対応ガイドフレームの２つのガイドフレームの描画、表示処理が継続して実行される。
【００７５】
ステップＳ３０５において、操作部３０６に設定された静止画撮影開始／終了ボタンの押下信号が中央処理マイコン３０５に入力されると、中央処理マイコン３０５は、ステップ３０６において、事前にユーザによって設定された静止画像のアスペクト比が１６：９であるか否かを判定する。
【００７６】
静止画像の設定アスペクト比が１６：９である場合は、ステップＳ３０７に進み、撮影画像から、アスペクト比１６：９の静止画対応ガイドフレーム内の画像を切り出して取得し、ステップＳ３０９において、切り出し画像を静止画像記録メディアに記録する処理を実行する。
【００７７】
静止画像の設定アスペクト比が１６：９でない場合は、ステップＳ３０８に進み、撮影画像から、アスペクト比４：３の静止画対応ガイドフレーム内の画像を切り出して取得し、ステップＳ３０９において、切り出し画像を静止画像記録メディアに記録する処理を実行する。
【００７８】
ステップＳ３０５以下の処理について、図３を参照して説明する。静止画撮影開始／終了ボタンの押下信号が中央処理マイコン３０５に入力されると、中央処理マイコン３０５は、画像処理ＤＳＰ３０４および静止画記録再生制御マイコン３１０に静止画記録の指示がなされたことを示す制御信号を供給する。この制御信号により、画像処理ＤＳＰ３０４は、表示装置３１６に表示されている全視野の画像データの中から設定されたアスペクト比、すなわちアスペクト比１６：９もしくはアスペクト比４：３、いずれかの静止画記録領域ガイドフレーム領域内の画像データを、画像処理ＤＳＰ３０４から静止画処理ＤＳＰ３１１に入力する。
【００７９】
静止画処理ＤＳＰ３１１は画像処理ＤＳＰ３０４から入力された画像データに対して、ＪＰＥＧ圧縮など、所定のフォーマットに従った圧縮処理を施し、さらにインデックス情報、データ識別情報、処理態様情報などの付加情報を加えて特定のフォーマット信号に変換し、静止画像記録メディア対応Ｉ／Ｆ部３１３を介して、静止画像記録メディア３１４に静止画像データを記録する。
【００８０】
このように、静止画像の記録処理時に、ビューファインダや液晶ディスプレイ等の表示装置３１６に表示されるガイドフレームは、動画記録を実行していない場合には、静止画対応ガイドフレームのみが、ユーザの設定したアスペクト比に対応して表示され、ユーザは容易にかつ正確に実際に記録される静止画像の画像領域を把握して、正確な静止画像記録を行なうことができる。また、動画記録を並行して実行している場合には、静止画対応ガイドフレームと動画ガイドフレームの双方が、ユーザが動画および静止画それぞれに対応して設定したアスペクト比に応じて表示される。ユーザは、静止画対応ガイドフレームと動画ガイドフレームの双方を確認して、各画像データの実際に記録される画像領域を把握して、正確な動画像および静止画記録を行なうことができる。
【００８１】
上述したように、本発明の構成においては、撮影者は予め所望のアスペクト比を設定しておくことで、動画と静止画の双方において、記録したい映像を撮影モードや電源モードなどを切換えることなく、表示装置に表示されるガイドフレームによって画角、すなわち記録される画像領域を確認しながら正確な記録処理を行なうことができる。
【００８２】
なお、撮像素子３０１から読み出した画像は、ズーム処理や手ぶれ防振機構などに基づいて、記録画像の領域を上下または左右に移動させたり、大きさを変化させるなどの記録領域補正処理を行なう場合があるが、このような処理によって記録領域を動的に変化させた場合には、この補正処理情報に基づいて中央処理マイコン３０５は、内部メモリ３１２に描画するガイドフレームを記録画像の変動に応じて変動させる更新処理を実行する。この処理によって、ズーム処理や手ぶれ防振機構などに基づいて記録画像の領域が変動した場合であっても、ガイドフレームが追随して表示されることになり、記録領域に対応した正確なガイドフレーム表示が実現される。
【００８３】
なお、上述の実施例の説明では、アスペクト比１６：９と４：３の２通りの設定を例として説明してきたが、これら以外のアスペクト比を用いた場合であっても、本発明の適用は可能である。
【００８４】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８５】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８６】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８７】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８９】
以上、説明したように、本発明の構成によれば、動画と静止画をそれぞれ記録可能な撮像装置において、ユーザが予め設定した動画像および静止画像各々の記録態様設定情報、すなわちアスペクト比に基づいて、動画対応ガイドフレームと、静止画対応ガイドフレーム各々の形状を決定して、モニタ画面としての表示部に表示する構成とし、また、実際の記録処理の状況に応じて表示するガイドフレームを変更する構成としたので、ユーザは、表示部に表示されるガイドフレームに基づいて画角、すなわち記録される画像領域を確認しながら正確な記録処理を行なうことができる。
【００９０】
さらに、本発明の構成によれば、メディアが撮像装置に存在しない場合など、画像データが記録可能状態にない場合は、記録可能でないカテゴリ（動画または静止画）の画像に対応するガイドフレームを表示せず、記録可能なカテゴリの画像に対応するガイドフレームのみを撮影画像とともに表示する構成としたので、ユーザは、表示部に表示されるガイドフレームに基づいて、記録メディアに記録される動画像領域または静止画像領域およびその記録可否情報を知ることが可能となり、ユーザは容易にかつ正確に実際に記録される動画像または静止画像の記録画像領域を把握して、正確な動画像または静止画記録を行なうことができる。
【図面の簡単な説明】
【００９１】
【図１】本発明の撮像装置として適用可能なビデオカメラの外観を示す図である。
【図２】本発明の撮像装置において、ビューファインダ、エキショウでぃすぷれい等の表示部に表示されるガイドフレームのパターンについて説明する図である。
【図３】本発明の撮像装置の構成を説明するブロック図である。
【図４】本発明の撮像装置において実行されるガイドフレーム表示処理の処理シーケンスについて説明するフローチャートを示す図である。
【図５】本発明の撮像装置において動画像の撮影、記録を行なう場合の処理シーケンスについて説明するフローチャートを示す図である。
【図６】本発明の撮像装置において静止画像の撮影、記録を行なう場合の処理シーケンスについて説明するフローチャートを示す図である。
【符号の説明】
【００９２】
１００  撮像装置
１０１  レンズ
１０２  ビューファインダ
１０３  液晶ディスプレイ
１０４  静止画撮影ボタン
１０５  動画撮影開始／終了ボタン
１０６  電源スイッチ
２０１  撮影画像表示領域
２０２ａ  動画対応１６：９ガイドフレーム
２０２ｂ  動画対応４：３ガイドフレーム
２０３ａ  静止画対応１６：９ガイドフレーム
２０３ｂ  静止画対応４：３ガイドフレーム
３０１  レンズ
３０２  撮像素子
３０３  Ａ／Ｄ変換器
３０４  画像処理ＤＳＰ
３０５  中央処理マイコン
３０６  操作部
３０７  動画記録再生制御マイコン
３０８  動画処理ＤＳＰ
３０９  動画像記録メディア
３１０  静止画記録再生制御マイコン
３１１  静止画処理ＤＳＰ
３１２  内部メモリ
３１３  静止画像記録メディア対応Ｉ／Ｆ部
３１４  静止画像記録メディア
３１５  Ｄ／Ａ変換器
３１６  表示装置
３１７  動画像記録メディア対応Ｉ／Ｆ部
３１８  動画撮影開始／終了ボタン接触センサ
３１９  静止画撮影ボタン接触センサ
【図１】
2006180152.tif 000003
【図２】
2006180152.tif 000004
【図３】
2006180152.tif 000005
【図４】
2006180152.tif 000006
【図５】
2006180152.tif 000007
【図６】
2006180152.tif 000008